(57)【要約】【課題】張力が低く、且つ、水平角を有する架空送電線を引留める一連碍子耐張装置に取付けて用いられ、張力のアンバランスと、低い張力による生じる捩れ剛性とにより生じる避雷装置の避雷器の傾きを解消することができる避雷装置を提供する。【解決手段】支持碍子４０の上端部に避雷装置が取付けられ、避雷装置１００と鉄塔８０とが接続金具７０により接続され、支持碍子４０の下端部にアークホーン部５０と引留め金具６０とが接続され、引留め金具６０に架空送電線９０が引留められる一連碍子耐張装置２００において、避雷装置１００が、避雷器１０と取付け金具２０とバランスウエイト部３０とを有し、バランスウエイト部３０は、複数の取付け孔３４を具備するバランス用ロッド３２と複数の取付け孔３４の任意の箇所に取付けられるバランス用ウエイト３６とを有する。【選択図】      図１
2012009224.tif 000002
【特許請求の範囲】
【請求項１】
支持碍子の上端部に避雷装置が取付けられ、前記避雷装置と鉄塔とが接続金具により接続され、前記支持碍子の下端部にアークホーン部と引留め金具とが接続され、前記引留め金具に架空送電線が引留められる一連碍子耐張装置において、
前記避雷装置が、避雷器と取付け金具とバランスウエイト部とを有し、
前記バランスウエイト部は、複数の取付け孔を具備するバランス用ロッドと前記複数の取付け孔の任意の箇所に取付けられるバランス用ウエイトとを有することを特徴とする避雷装置。
【発明の詳細な説明】
【技術分野】
【０００１】
本発明は、架空送電線の耐張装置に取付けて用いられる避雷装置に係り、より詳しくは、通常張力より低く、且つ、水平角を有する架空送電線の避雷装置に関する。
【背景技術】
【０００２】
鉄塔の両方向に一直線状に均等に張られた架空送電線を鉄塔に把持する一連碍子耐張装置に取付けて用いられる避雷装置において、架空送電線には通常張力が掛かっているため、複合電線の捩れ剛性により発生する、いわゆる撚り戻しによる傾きを生じることはない。この一直線状に均等に張られた架空送電線の状態を水平角ゼロの状態といい、この時、一連碍子耐張装置の両方向には、通常張力として数トンの張力が掛かってバランスしている。
【０００３】
ところが、変電所の引込み部等における場合は、張力は通常張力より低くなる。また、一連碍子耐張装置に把持された架空送電線は、把持された箇所を基点として、水平方向に任意の角度を有し、さらに弱い張力で変電所に引込まれる。この場合、架空送電線は水平角を有しているという。このため、一連碍子耐張装置には、張力のアンバランスと、低い張力により発生する捩れ剛性とにより全体的に捩れが発生し、避雷装置が傾く場合がある。
【０００４】
特許文献１には、送電鉄塔の支持アームの先端部に絶縁支持碍子を介して送電線が支持され、支持碍子の下端部に電気的に送電線と接続された課電側放電電極を設け、鉄塔側に支持部材を介して避雷器を吊下げ固定子、避雷器の下端部に課電側放電電極と直列ギャップを備えて対向するように避雷器側放電電極を設けた送電用避雷装置において、高抵抗素子８を断面中空の導体で構成した支え９と交互に配置し、導体支え９には貫通孔部１２を設け、それを覆うＦＲＰ筒１０にもスリット１３を設ける、旨の記載がある。
【先行技術文献】
【特許文献】
【０００５】
【特許文献１】特開２００８−１７６９５０号公報
【発明の概要】
【発明が解決しようとする課題】
【０００６】
本発明は、このような問題を解決するためになされたものであり、その目的は、張力が通常張力より低く、且つ、水平角を有する架空送電線を引留める一連碍子耐張装置に取付けて用いられ、張力のアンバランスと、低い張力による生じる捩れ剛性とにより生じる避雷装置の避雷器の傾きを解消することができる避雷装置を提供する。
【課題を解決するための手段】
【０００７】
本発明の避雷装置は、支持碍子の上端部に避雷装置が取付けられ、避雷装置と鉄塔とが接続金具により接続され、支持碍子の下端部にアークホーン部と引留め金具とが接続され、引留め金具に架空送電線が引留められる一連碍子耐張装置において、避雷装置が、避雷器と取付け金具とバランスウエイト部とを有し、バランスウエイト部は、複数の取付け孔を具備するバランス用ロッドと複数の取付け孔の任意の箇所に取付けられるバランス用ウエイトとを有することを特徴とする。
【発明の効果】
【０００８】
本発明によれば、張力が低く、且つ、水平角を有する架空送電線を引留める一連碍子耐張装置に取付けて用いられ、張力のアンバランスと、低い張力による生じる捩れ剛性とにより生じる避雷装置の避雷器の傾きを解消することが可能な避雷装置を提供することができる。また、一連碍子懸垂装置の避雷装置に適用することも可能である。
【図面の簡単な説明】
【０００９】
【図１】本発明による避雷装置を含む一連碍子耐張装置の構成を示す構成図。
【発明を実施するための形態】
【実施例】
【００１０】
本発明の実施の形態について、図を用いて説明する。図１は、本発明による避雷装置を含む一連碍子耐張装置の構成を示す構成図である。図１において、一連碍子耐張装置２００は、以下のように構成されている。すなわち、支持碍子４０の上端部には、避雷装置１００が取付けられている。また、避雷装置１００は、接続金具７０により鉄塔８０に接続されている。支持碍子４０の下端部には、アークホーン部５０と引留め金具６０とが接続されている。引留め金具６０は、架空送電線９０を把持している。
【００１１】
避雷装置１００は、避雷器１０と取付け金具２０とバランスウエイト部３０とを有している。バランスウエイト部３０は、複数の取付け孔３４を具備するバランス用ロッド３２と複数の取付け孔３４の任意の箇所に取付けられるバランス用ウエイト３６とを有している。
【００１２】
再び図１において、一連碍子耐張装置２００は、引留め金具６０により架空送電線９０を把持し、避雷装置１００が接続金具７０により鉄塔８０に接続されることにより、架空送電線９０を鉄塔８０に引留めている。ところで、変電所の引込み部等においては、架空送電線９０の一方は弱い張力で変電所に引込まれるため、引留め金具６０の箇所を基点に、架空送電線９０の両方で、任意の水平角が発生する。
【００１３】
また、引留め金具６０により把持された架空送電線９０の他方は、比較的径間の短い他の鉄塔との間に張られているため通常張力より低く、且つ、上記一方は、変電所に引込まれているため径間はさらに短く、互いの張力はアンバランスとなる。これらのことから、架空送電線９０の張力のアンバランスと、低い張力による生じる捩れ剛性とにより一連碍子耐張装置２００には全体的に捩れが発生し、避雷装置１００が傾き、避雷器１０が所定の設定位置から外れて傾くことになる。
【００１４】
この状態において、バランスウエイト部３０のバランス用ウエイト３６を、バランス用ロッド３２の複数の取付け孔３４の任意の箇所に取付けて、バランスを調整することにより、避雷器１０とアークホーン部５０とを同一平面内にセットし、避雷器１０とアークホーン部５０との先端間の距離を所定の値となるよう調整して固定することができる。これにより、避雷器１０の傾きを正し、正常な位置に設定することができる。
【００１５】
このように、バランス用ウエイトを、バランス用ロッドの任意の箇所に付替えることにより、張力が低く、且つ、水平角を有する架空送電線を引留める一連碍子耐張装置に取付けて用いられ、張力のアンバランスと、低い張力による生じる捩れ剛性とにより生じる避雷装置の避雷器の傾きを解消することが可能な避雷装置を提供することができる。また、一連碍子懸垂装置の避雷装置に適用することも可能となる。
【符号の説明】
【００１６】
１０  避雷器
２０  取付け金具
３０  バランスウエイト部
３２  バランス用ロッド
３４  複数の取付け孔
３６  バランス用ウエイト
４０  支持碍子
５０  アークホーン部
６０  引留め金具
７０  接続金具
８０  鉄塔
９０  架空送電線
１００  本発明の避雷装置
２００  本発明の避雷装置を含む一連碍子耐張装置
【図１】
2012009224.tif 000003